(57)【要約】【課題】効率的なリソース割り当てを行うことができるセルラシステムを提供する。【解決手段】第１のセル内に、前記第１のセルよりもカバー領域が狭く、カバーする領域の広さが異なる複数の種類のセルが存在するセルラシステムであって、各セルにおけるリソース割り当てを、各セルの他のセルとの配置関係を表す数値に基づいて行うリソース割り当て装置を備える。【選択図】図１
2013055446.tif 000002
【特許請求の範囲】
【請求項１】
第１のセル内に、前記第１のセルよりもカバー領域が狭く、カバーする領域の広さが異なる複数の種類のセルが存在するセルラシステムであって、各セルにおけるリソース割り当てを、他のセルとの配置関係を表す数値に基づいて行うリソース割り当て装置を備えることを特徴とするセルラシステム。
【請求項２】
前記配置関係には３つ以上の種類があり、前記配置関係を表す数値は３段階以上の数値であることを特徴とする請求項１記載のセルラシステム。
【請求項３】
前記配置関係を表す数値は、前記第１のセル及び前記第１のセル内に存在する複数のセルがそれぞれ重複し合っている関係を数値化した値であることを特徴とする請求項２記載のセルラシステム。
【請求項４】
前記配置関係を表す数値を、各セルを制御する基地局装置が取得することを特徴とする請求項１から３のいずれか１項に記載のセルラシステム。
【請求項５】
前記配置関係を表す数値を基に、各セルにおいて使用可能なリソース数を算出し、前記使用可能なリソース数を超えない範囲でリソース割り当てを行うことを特徴とする請求項１から４のいずれか１項に記載のセルラシステム。
【請求項６】
前記第１のセルがマクロセルであり、前記第１のセルよりもカバー領域が狭く、カバーする領域の広さが異なる複数の種類のセルが、ピコセルおよびフェムトセルを含むことを特徴とする請求項１から５のいずれか１項に記載のセルラシステム。
【請求項７】
第１のセル内に、前記第１のセルよりもカバー領域が狭く、カバーする領域の広さが異なる複数の種類のセルが存在するセルラシステムのリソース割り当て装置であって、各セルにおけるリソース割り当てを、他のセルとの配置関係を表す数値に基づいて行う手段を備えることを特徴とするリソース割り当て装置。
【請求項８】
第１のセル内に、前記第１のセルよりもカバー領域が狭く、カバーする領域の広さが異なる複数の種類のセルが存在するセルラシステムにおけるリソース割り当て方法であって、
リソース割り当て装置が各セルの他のセルとの干渉についての情報である干渉源情報を取得するステップと、
リソース割り当て装置が前記干渉源情報に基づいて互いに干渉を与えるセルをグループ化するステップと、
リソース割り当て装置がグループ毎に他のセルとの配置関係を表す数値を決定するステップと、
リソース割り当て装置が各グループにおける各セルに、前記配置関係を表す数値に応じてリソースを割り当てるステップとを有することを特徴とするリソース割り当て方法。
【請求項９】
請求項８に記載のリソース割り当て方法をコンピュータに実行させるためのプログラム。
【発明の詳細な説明】
【技術分野】
【０００１】
本発明は、セルラシステムと、そのリソース割り当て装置に関する。
【背景技術】
【０００２】
ゾーン半径の異なる複数のセルによって構成されるセルラシステムにおいて、同一の周波数帯を用いて通信を行う場合には、セル間干渉が大きな課題となる。ゾーン半径が大きく、広い範囲をカバーするマイクロセルの中に、ゾーン半径が小さいピコセルや、ピコセルよりもさらにゾーン半径が小さいフェムトセルが存在するセルラシステムにおいて、ピコセル基地局（ＰｅＮＢ：Ｐｉｃｏ  ｅＮｏｄｅＢ）やフェムトセル基地局（ＨｅＮＢ：Ｈｏｍｅ  ｅＮｏｄｅＢ）が、それぞれが収容する端末（ピコセル端末、フェムトセル端末）と通信を行う場合に、マクロセル基地局（ＭｅＮＢ：Ｍａｃｒｏ  ｅＮｏｄｅＢ）がマクロセル端末宛に送信した信号は、ピコセル端末やフェムトセル端末にとって非常に大きな干渉源となる。ピコセルやフェムトセルがマクロセル基地局に近い位置にある場合には特に干渉の影響が大きくなり、これらの干渉の影響によってピコセル端末やフェムトセル端末の受信特性が著しく劣化する。また逆に、マクロセル端末にとっては、ピコセル基地局やフェムトセル基地局から送信された信号が干渉となる。ピコセルやフェムトセルにおける送信電力はマクロセルにおける送信電力に比べ非常に低いが、マクロセル端末がそれらの小ゾーンセル近傍に位置する場合や、マクロセル内に多数の小ゾーンセルが存在する場合には、非常に大きな干渉を受けることとなる。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）では、このようなセル間干渉を低減する方法として、セルの種類毎に異なるリソースを割り当てる方式が提案されている（非特許文献１）。
【０００４】
非特許文献１では、マクロセルとフェムトセルで構成されるセルラシステムにおいて、セルの種類毎に異なる周波数を用いて伝送するリソース割り当て方法が示されている。つまり、マクロセルとフェムトセルで異なるリソースを用いることにより、マクロセルとフェムトセルにおけるセル間干渉を低減するという方法である。このような方法は、図１のようにマクロセル、ピコセル、フェムトセルで構成されるセルラシステムにおいても同様に適用可能であり、例えば、図２のようなリソース割り当てになる。但し、図２は、図１に示す各セルの基地局が、セルの種類（マクロセル、ピコセル、フェムトセルのいずれであるか）によって、時間的に異なるリソースを用いて伝送する場合のリソース割り当てを表している。このように、マクロセルとピコセル（Ｐ１、Ｐ２、Ｐ３、Ｐ４）とフェムトセル（Ｆ１、Ｆ２ａ、Ｆ２ｂ、Ｆ３）がそれぞれ異なるリソースを用いることにより、マクロセル−ピコセル間、マクロセル−フェムトセル間、ピコセル−フェムトセル間の干渉が生じないように制御することができる。
【先行技術文献】
【特許文献】
【０００５】
【非特許文献１】3GPP TR 36.921 V9.0.0（Release 9）
【発明の概要】
【発明が解決しようとする課題】
【０００６】
マクロセル内にピコセル、フェムトセル等、カバーする領域の広さが異なるセルが混在するセルラシステムにおいて、実際にそれらのセルが配置される環境は様々である。例えば、図１に示すように、カバー範囲内にフェムトセルが存在するピコセル（ピコセル１、２）もあれば、カバー範囲内にフェムトセルが存在しないピコセル（ピコセル４）もある。また、フェムトセルについては、ピコセルのカバー領域内に含まれるフェムトセル（フェムトセル１、２ａ、２ｂ）もあれば、マクロセルのカバー範囲内に含まれるものの、ピコセルのカバー範囲内には含まれないフェムトセル３のようなフェムトセル（マクロセル内に直接存在するフェムトセル）も存在する。このように、実際の環境では、同じ種類のセル（ピコセル同士やフェムトセル同士）であるにも関わらず異なる環境下に置かれることがあり、そのような場合には、セルが置かれている環境に応じて、周囲のセルから受ける干渉または、周囲のセルに与える干渉の影響も異なる。したがって、マクロセルとフェムトセルでは異なるリソースを用いるといった非特許文献１の方法のように、セルの種類のみに基づいてリソース割り当てを行う場合には、必ずしも、実際の環境を考慮したリソース割り当てが行えないため、非効率的なリソース割り当てとなってしまうという問題がある。
【０００７】
本発明はこのような実情に鑑みてなされたものであり、効率的なリソース割り当てを行うことができるセルラシステムおよびリソース割り当て装置を提供する。
【課題を解決するための手段】
【０００８】
本発明のセルラシステムは、第１のセル内に、前記第１のセルよりもカバー領域が狭く、カバーする領域の広さが異なる複数の種類のセルが存在するセルラシステムであって、各セルにおけるリソース割り当てを、他のセルとの配置関係を表す数値に基づいて行うリソース割り当て装置を備えることを特徴とする。
【０００９】
前記配置関係には３つ以上の種類があり、前記配置関係を表す数値は３段階以上の数値であってもよい。
【００１０】
前記配置関係を表す数値は、前記第１のセル及び前記第１のセル内に存在する複数のセルがそれぞれ重複し合っている関係を数値化した値であってもよい。
【００１１】
前記配置関係を表す数値を、各セルを制御する基地局装置が取得するようにしてもよい。
【００１２】
前記配置関係を表す数値を基に、各セルにおいて使用可能なリソース数を算出し、前記使用可能なリソース数を超えない範囲でリソース割り当てを行ってもよい。
【００１３】
前記第１のセルがマクロセルであり、前記第１のセルよりもカバー領域が狭く、カバーする領域の広さが異なる複数の種類のセルが、ピコセルおよびフェムトセルを含んでよい。
【００１４】
本発明のリソース割り当て装置は、第１のセル内に、前記第１のセルよりもカバー領域が狭く、カバーする領域の広さが異なる複数の種類のセルが存在するセルラシステムのリソース割り当て装置であって、各セルにおけるリソース割り当てを、他のセルとの配置関係を表す数値に基づいて行う手段を備えることを特徴とする。
【発明の効果】
【００１５】
本発明によれば、効率的なリソース割り当てを行うことができる。
【図面の簡単な説明】
【００１６】
【図１】セルラシステムの構成の一例を示す図である。
【図２】セルラシステムにおけるリソース割り当ての一例を示す表である。
【図３】第１の実施形態に係る基地局Ｍの構成の一例を示すブロック図である。
【図４】（ａ）および（ｂ）は基地局Ｍが取得した干渉源情報の一例を示す表である。
【図５】第１の実施形態に係る基地局Ｍの上位層１４の処理の流れの一例を示すフローチャートである。
【図６】第１の実施形態におけるリソース割り当ての一例を示す表である。
【図７】第１の実施形態に係る端末ｍの構成の一例を示すブロック図である。
【図８】第２の実施形態に係る基地局Ｍの上位層の処理の流れの一例を示すフローチャートである。
【図９】（ａ）、（ｂ）および（ｃ）は第２の実施形態におけるリソース割り当て情報の一例を示す表である。
【発明を実施するための形態】
【００１７】
［第１の実施形態］
本発明の第１の実施形態に係るセルラシステムの構成は、図１と同様である。図１に示すように、本実施形態に係るセルラシステムには、広い領域をカバーするマクロセルと、マクロセル内に、狭い領域をカバーするピコセルと、ピコセルよりさらに狭い領域をカバーするフェムトセルが存在する。マクロセルは、基地局Ｍと１台の端末ｍで構成され、基地局Ｍから端末ｍへ所望信号を送信する。また、ピコセル１は基地局Ｐ１と端末ｆ１、ピコセル２は基地局Ｐ２と端末ｐ２で構成されており、フェムトセル１は基地局Ｆ１と端末ｆ１、フェムトセル２ａは基地局Ｆ２ａと端末ｆ２ａ、フェムトセル２ｂは基地局Ｆ２ｂと端末ｆ２ｂ、フェムトセル３は基地局Ｆ３と端末ｆ３、ピコセル４は基地局Ｐ４と端末ｐ４で構成されており、それぞれセル内で所望信号を送受信する。このとき、各端末では、自セルの所望信号以外に、他のセルで送信した所望信号が干渉信号として受信されるため、セル間干渉が生じる。
【００１８】
なお、ここでは一例として３種類のセル（マクロセル、ピコセル、フェムトセル）で構成されたセルラシステムを想定しているが、それぞれがカバーする広さが異なり、あるセルやゾーンにおける所望信号が他のセルやゾーンにとって干渉となるようなセルやゾーンの組み合わせであればよく、光張り出し基地局（ＲＲＥ：Ｒｅｍｏｔｅ  Ｒａｄｉｏ  Ｅｑｕｉｐｍｅｎｔｓ）、ホットスポット、リレー局などで構成されるセルやゾーンを対象としてもよい。
【００１９】
図１に示すように、本セルラシステムでは、ピコセル１内にはフェムトセル１があり、ピコセル２内には、フェムトセル２ａ、フェムトセル２ｂがある。フェムトセル３はピコセルには含まれておらず、また、ピコセル４内にはフェムトセルが存在しない。そして、これらすべてのセルがマクロセル内に含まれている。ここで、対象となるセルを含んでいる、種類の異なる（よりカバー領域の広い）セルの数＋１（自セル分）をセルの階層（レイヤ）と定義し、この階層という数値により、各セルが置かれている環境を表すものとする。この定義により、例えば、マクロセルは、自身よりカバー領域の広いセルに含まれておらず、最も外側のセルであるといえるため、その階層は１となり、ピコセル１はマクロセルに含まれているため、その階層は２となる。また、フェムトセル１はピコセル１とマクロセルに含まれているといえるため、その階層は３となる。同様に、ピコセル２の階層は２、フェムトセル２ａ及び２ｂの階層は３、フェムトセル３の階層は２、ピコセル４の階層は２となる。
【００２０】
このように、本実施形態におけるセルラシステムでは、例えば、フェムトセル１（階層＝３）とフェムトセル３（階層＝２）のように、同じ種類のセルであっても階層が異なるセルが存在する、つまり、同じ種類のセルであっても置かれている環境の異なるセルが存在するものとする。したがって、本実施形態において階層と呼んでいる数値は、各セルの種類を表す数値と言い換えることもできる。但し、ここでのセルの種類というのは、マクロセルやピコセル、フェムトセルといった、セルのカバーする領域の種類ではなく、どのような環境に置かれているか（配置関係）という、環境の種類のことを意味している。そして、マクロセルやピコセル、フェムトセルといったセルの種類を表す情報と、周囲の環境の種類を表す情報（階層）とを合わせると、どのようなセルがどのような環境に置かれているかを把握することができる。
【００２１】
また、基地局Ｍと他の基地局は有線ネットワーク（リレーの場合は無線）で接続されており、基地局装置間で情報を共有することができる。但し、一般的なフェムトセル基地局は、インターネット経由でマクロセル基地局との情報のやり取りを行い、光張り出し基地局やピコセル基地局では、光ファイバや専用ネットワーク経由でマクロセル基地局との情報のやり取りを行う。
【００２２】
＜マクロセルについて＞
図３は、本実施形態に係る基地局Ｍの構成の一例を示すブロック図である。受信アンテナ１０は、端末ｍから送信された信号を受信し、無線部１１へ出力する。無線部１１は、受信アンテナ１０から入力された受信信号をダウンコンバートしてベースバンド信号を生成し、Ａ／Ｄ（Ａｎａｌｏｇ  ｔｏ  Ｄｉｇｉｔａｌ）部１２へ出力する。Ａ／Ｄ部１２は、入力されたアナログ信号をディジタル信号に変換し、受信部１３へ出力する。受信部１３は、入力されたディジタル信号から端末が測定した干渉に関する情報（干渉源情報）を抽出し、上位層１４へ出力する。
【００２３】
上位層１４は、有線ネットワーク経由で他のセルの基地局から通知された干渉源情報と、受信部１３から入力された端末ｍの干渉源情報に基づいて、リソース割り当てを決定する。
【００２４】
ここで、図４を参照し、基地局Ｍが取得した干渉源情報について説明する。図４（ａ)、（ｂ）は、基地局Ｍが取得した干渉源情報の一例を示す表である。図４では、それぞれのセルが他のセルから受ける干渉について、干渉を受けている場合には「○」、干渉を受けていない場合には空欄で示している。例えば、図４（ａ）の２行目（Ｐ１の行）は、干渉局Ｍ、Ｆ１の欄が○となっているが、これは、ピコセル１がマクロセル、フェムトセル１から干渉を受けていることを表している。
【００２５】
また、図１のセルラシステムにおいて、例えば、ピコセル１とピコセル２が近隣に位置している場合を想定すると、ピコセル１とピコセル２が互いに干渉を及ぼす可能性があり、図４（ｂ）のような干渉源情報となる。つまり、図４（ａ）に加えて、Ｐ１からＰ２へ、Ｐ２からＰ１へ与える干渉の欄がそれぞれ「○」となる。以上のように、干渉源情報は、把握し得る全てのセルにおける干渉の関係が分かればよく、図４の例に限定されない。また、実際には、ほとんど全てのセル同士が互いに干渉を及ぼすものと考えられるが、ここでは、ある閾値以上の出力を有する干渉が観測される等、比較的影響の大きい干渉のみを対象としている。したがって、そのように影響の大きい干渉源に関する干渉源情報を把握し、リソース割り当てに活用するものとする。
【００２６】
ここで、図５を参照し、上位層１４の処理の流れを説明する。図５は、上位層１４の処理の流れの一例を示すフローチャートである。ステップＳ１０１では、干渉源情報が更新されたか否かを判定し、干渉源情報が更新された場合はステップＳ１０２（ＹＥＳ）へ、更新されない場合はステップＳ１１１（ＮＯ）へ進む。つまり、本実施形態では、干渉源情報に基づいて各セルのリソース割り当てを決定するが、リソース割り当てを決定するタイミングは、干渉源情報が更新された場合であり、例えば、新たにセルが追加された場合や、フェムトセルの電源のオンとオフの状態が変化した場合、干渉の状態が変化した場合などである。
【００２７】
ステップＳ１０２では、干渉源情報に基づいて、互いに干渉を与えるセルのグループ化を行う。図４（ａ）の干渉源情報では、マクロセルと他の全てのセルは互いに干渉を与えており、それに加えて、ピコセル１とフェムトセル１が互いに干渉を与え、ピコセル２、フェムトセル２ａ、フェムトセル２ｂが互いに干渉を与えている。したがって、互いに干渉を与えるセルのグループは、グループ１（マクロセル、ピコセル１、フェムトセル１）、グループ２（マクロセル、ピコセル２、フェムトセル２ａ、フェムトセル２ｂ）、グループ３（マクロセル、フェムトセル３）、グループ４（マクロセル、ピコセル４）の合計４つである。なお、干渉源情報が図４（ａ）の場合、各セルが属する位置関係と一致するが、干渉源情報が図４（ｂ）の場合、一部のセル（ピコセル１とピコセル２）が互いに干渉を及ぼし合い、明確なグループ分けが難しい。このような場合は、階層を考慮し、セルの位置関係に基づいてグループ分けを行ってもよい。このとき、階層に関する情報は、予め基地局の設置時に設定してもよいし、干渉源情報に基づいて、干渉源となっているセルのうち自身のセルと異なる種類のセルの数から推定してもよい。
【００２８】
ステップＳ１０３では、１≦ｎ≦グループ数（本実施形態ではグループ数は４）の間、ステップＳ１０４、ステップＳ１０５の処理を行うよう、条件の判定を行う。
【００２９】
ステップＳ１０４では、グループ毎の重複数を決定する。ここで各グループにおける重複数とは、グループ内において階層の数が最も大きいセルのカバー範囲と重複するカバー範囲を有するセルの数を表す。なお、本実施形態のように、伝送を停止している基地局がない場合には、重複数はグループ内のセルにおける階層の最大値となる。この重複数も、先に述べた階層と同じく、各セルの種類（周囲の環境や配置関係の種類）を表す数値と言い換えることもできる。したがって、本実施形態は、セルの種類を表す情報を、各セルにおけるリソースの割り当てに活用する方法に関するものである。
【００３０】
ｎ＝１のとき、グループ１について、階層が最も大きいセルはフェムトセル１（階層＝３）であり、フェムトセル１は、ピコセル１、マクロセルとカバー範囲が重複するため、グループ１の重複数は３となる。また、ステップＳ１０５では、ｎに１を加え、ｎ＝２となり、ステップＳ１０３において「ＹＥＳ」へ進む。
【００３１】
ｎ＝２のとき、グループ２について、階層が最も大きいセルはフェムトセル２ａ及びフェムトセル２ｂ（それぞれ階層＝３）であり、フェムトセル２ａ及びフェムトセル２ｂは、ピコセル２、マクロセルとカバー範囲が重複するため、グループ２の重複数は３となる。ステップＳ１０５では、ｎに１を加え、ｎ＝３となり、ステップＳ１０３において「ＹＥＳ」へ進む。
【００３２】
ｎ＝３のとき、グループ３について、階層が最も大きいセルはフェムトセル３（階層＝２）であり、フェムトセルはマクロセルとカバー範囲が重複するため、グループ３の重複数は２となる。ステップＳ１０５では、ｎに１を加え、ｎ＝４となり、ステップＳ１０３において「ＹＥＳ」へ進む。
【００３３】
ｎ＝４のとき、グループ４について、階層が最も大きいセルはピコセル４（階層＝２）であり、ピコセル４はマクロセルとカバー範囲が重複するため、グループ４の重複数は２となる。ステップＳ１０５では、ｎに１を加え、ｎ＝５となり、ステップＳ１０３において「ＮＯ」へ進み、ステップＳ１０６へ遷移する。
【００３４】
ステップＳ１０６では、ステップＳ１０４で決定したグループ毎の重複数について、超複数の多い順に並び替えを行う。本実施形態では、グループ１、グループ２、グループ３、グループ４の順にステップＳ１０７以降の処理を行うものとする。但し、ステップＳ１０６におけるグループの並び替えは、重複数が多い順であればよく、例えば、グループ２、グループ１、グループ４、グループ３の順でもよい。
【００３５】
ステップＳ１０７では、ステップＳ１０６で並び替えた順に、１≦ｊ≦グループ数（本実施形態ではグループ数は４）の間、ステップＳ１０８、ステップＳ１０９の処理を行うよう、条件の判定を行う。
【００３６】
ステップＳ１０８では、ステップＳ１０６で並び替えたグループのうち、グループｊに属するセルのリソース割り当てを決定する。ここで、本実施形態におけるリソース割り当てとは、各グループにおける重複数に応じて、それぞれのグループに属する各セルが使用可能なリソース数を制限して、同じグループに属し、カバー範囲が重複するセルの間の干渉を抑圧できるよう、各セルで用いるリソースを上述の制限内でそれぞれ割り当てる処理のことをいう。つまり、重複数が異なるグループでは、使用可能なリソース数も異なることとなる。そして、その使用可能なリソース数の制限内で、同じグループに属するセル同士が同じリソースを用いないようにリソースを分け合うこととなる。
【００３７】
図６は、本実施形態におけるリソース割り当て方法により、複数の時間リソースを、各セル（各セルの基地局）に割り当てた例を示す表であり、各セルに割り当てられた時間リソースを「○」で示している。つまり、各セルは「○」の付いた時間リソースにおいてのみ送信を行い、「○」の付いていない時間リソースでは送信を行わないこととなる。
【００３８】
具体的には、ｊ＝１のとき、グループ１に属するマクロセル、ピコセル１、フェムトセル１へのリソース割り当てを行う。ここで、グループ１の重複数は３であることから、グループ１に属する各セルがそれぞれ使用可能なリソース数を全リソースの１／３に制限する。したがって、ここでは時間リソースを６つに分割しているため、グループ１に属する各セル（マクロセル、ピコセル１、フェムトセル１）はそれぞれ２つずつの時間リソースを用いることとなる。このように各セルで使用可能なリソース数を決定した後、それぞれのセルへのリソース割り当てを行うが、このリソース割り当ては、同じグループに属するセル同士が干渉し合わないようにすれば、どのように行ってもよい。例えば、図６のＭ（マクロセル）、Ｐ１（ピコセル１）、Ｆ１（フェムトセル１）のように、各セルへの割り当てリソースが順番になるように、リソース割り当てを行ってもよい。このような割り当てを行った後、ステップＳ１０９では、ｊに１を加え、ｊ＝２となり、ステップＳ１０７において「ＹＥＳ」へ進む。
【００３９】
ｊ＝２のときには、グループ２についてリソース割り当てを行う。ここで、グループ２の重複数もグループ１と同様、３であることから、グループ２に属する各セルがそれぞれ使用可能なリソース数を全リソースの１／３に制限する。つまり、グループ２に属する各セル（マクロセル、ピコセル２、フェムトセル２ａ、フェムトセル２ｂ）はそれぞれ２つずつの時間リソースを用いることとなる。但し、ここで、マクロセルについてはｊ＝１のときに既に割り当てが決定しているため、その割り当ては保持されるものとし、マクロセル以外のセルへのリソース割り当てが行われる。先に述べたように、このリソース割り当ては、同じグループに属するセル同士が干渉し合わないように行われ、ｊ＝１のときにマクロセルに割り当てたリソース以外のリソースを、グループ２の残りのセル（ピコセル２、フェムトセル２ａ、フェムトセル２ｂ）で分け合うように割り当てる。ただし、階層が同じセル（フェムトセル２ａ、フェムトセル２ｂ）については、同じリソースを割り当てる。これは、階層が同じであれば、マクロセル−マクロセル、ピコセル−ピコセル、フェムトセル−フェムトセルのように、同じ種類のセル同士であることが多く（同じ種類であっても階層が同じとは限らないが）、このようなセル同士に同じリソースを割り当てても、階層が異なるセル、特に、階層が低いセルと同じリソースを割り当てることにより非常に大きな干渉を受けるといった状況と同じにはならず、ある程度良好な伝送を行うことが可能であるものと考えられるためである。このような割り当てを行うことにより、これらのセルへのリソース割り当ては、例えば、図６のＰ２（ピコセル２）、Ｆ２ａ（フェムトセル２ａ）、Ｆ２ｂ（フェムトセル２ｂ）のようになる。そして、ステップＳ１０９では、ｊに１を加え、ｊ＝３となり、ステップＳ１０７において「ＹＥＳ」へ進む。
【００４０】
ｊ＝３のときには、重複数が２であるグループ３についてリソース割り当てを行う。この場合には、グループ１やグループ２よりも重複数が小さいため、グループ３に属する各セルは、グループ１、２に属する各セルよりも、より多くのリソースを使用することができるものとする。例えば、グループ２に属する各セルでリソースを半分ずつ使用することができるといったこととする。但し、先に述べたように、マクロセルについては既に割り当てが決定しているため、マクロセルの割り当てを保持するものとすると、マクロセルに割り当てたリソース以外のリソースをグループ３の残りのセル（フェムトセル３）に割り当てることができる。このとき、フェムトセル３へのリソース割り当ては図６のＦ３のようになり、同じ種類のセル（ここではフェムトセル）であっても、重複数が小さいグループに属するフェムトセル３は、重複数が大きいグループに属するフェムトセル１やフェムトセル２ａ、２ｂ等に比べ、２倍のリソースを使用することができることとなる。但し、マクロセルのように、重複数の異なる複数のグループに属するセルに対しては、重複数が最大のグループにおける制限下で使用リソースの割り当てが行われ、その割り当て結果は、後続のグループにおける割り当ての際にも保持されるものとする。このような割り当て後に、ステップＳ１０９では、ｊに１を加え、ｊ＝４となり、ステップＳ１０７において「ＹＥＳ」へ進む。
【００４１】
最後に、ｊ＝４のとき、グループ４についてリソース割り当てを行う。グループ４は、グループ３と同様に重複数が２のグループであり、既に割り当てが決定されているマクロセルと、ピコセル４の２セルのみが属しているため、リソース割り当てもグループ３と同様の割り当てとなる。このとき、ピコセル４のリソース割り当ては図６のＰ４のようになる。そして、ステップＳ１０９では、ｊに１を加え、ｊ＝５となり、Ｓ１０７において「ＮＯ」へ進み、ステップＳ１１０へ遷移する。
【００４２】
以上のように、本実施形態におけるリソース割り当て情報は、同じ種類のセル、例えばフェムトセル同士であっても、フェムトセル３は、フェムトセル１、２ａ、２ｂよりもリソースの割り当てが多くなる。これは、フェムトセル３が属するグループの重複数が、フェムトセル１、２ａ、２ｂがそれぞれ属するグループの重複数よりも小さいためである。また、ピコセルについても同様に、ピコセル４とピコセル１、２では、それらのセルが属するグループの重複数が異なるため、使用可能なリソース数も異なることとなる。先に述べたように、本実施形態における重複数は、各グループに含まれる、カバー範囲の広さが異なる複数のセルの重なり具合、つまり、そのグループ内のセルの配置状況を数値化したものであり、この数値により、カバー範囲の広さが異なる複数のセルが相互に及ぼし合う干渉の影響を評価するものとする。そして、この数値が大きい場合には、グループ内で干渉を及ぼし合うセル数が多いものと判断し、各セルで使用可能なリソースを細かく制限する。一方、重複数が小さい場合には、グループ内で影響し合うセル数が少ないものと判断し、各セルがより多くのリソースを使用できるようにする。したがって、このようなリソースの使用制限及び割り当てにより、同じ種類のセルが複数存在する場合においても、実際にセルが置かれている環境を考慮して効率よくリソースを使用することができる。
【００４３】
ステップＳ１１０では、以上のように決定したリソース割り当てを示す情報（リソース割り当て情報）を、有線ネットワーク経由で各基地局へ通知する。そして、通知されたリソース割り当て情報を基に、各セルではステップＳ１１１以降の処理を行う。
【００４４】
ステップＳ１１１では、現在の時刻において、自セルにリソースが割り当てられているかどうかを判定し、割り当てられていれば（ステップＳ１１１のＹＥＳ）、ステップＳ１１２に進み、送信ビット列を符号部１５へ出力し、図３の符号部１５以降の処理を行う。一方、割り当てられていない場合（ステップＳ１１１のＮＯ）は、現在の時刻では送信を行わないセルということになるため、次の送信機会を待つ。
【００４５】
以上のような上位層１４での処理の後に、図３の符号部１５は、上位層１４から入力された送信ビット列を符号化し、変調部１６へ出力する。変調部１６は、符号化された送信ビット列をＱＰＳＫ（Ｑｕａｄｒａｔｕｒｅ  Ｐｈａｓｅ  Ｓｈｉｆｔ  Ｋｅｙｉｎｇ）や１６ＱＡＭ（Ｑｕａｄｒａｔｕｒｅ  Ａｍｐｌｉｔｕｄｅ  Ｍｏｄｕｌａｔｉｏｎ）等の変調方式を用いて変調し、Ｓ／Ｐ変換部１７へ出力する。Ｓ／Ｐ変換部１７は、入力された直列データを並列データに並べ替えを行った後、サブキャリア割当部１８へ出力する。サブキャリア割当部１８は、送信ビット列を周波数軸上のサブキャリアに割り当てて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を生成し、参照信号多重部１９へ出力する。参照信号多重部１９は、入力された信号に、参照信号（伝搬路推定用のパイロット信号）を多重し、ＩＦＦＴ部２０へ出力する。ＩＦＦＴ部２０は、入力された周波数軸上の送信信号をＩＦＦＴ（Ｉｎｖｅｒｓｅ  Ｆａｓｔ  Ｆｏｕｒｉｅｒ  Ｔｒａｎｓｍｉｓｓｉｏｎ；逆高速フーリエ変換）によって時間軸上の信号に変換し、ＣＰ挿入部２１へ出力する。ＣＰ挿入部２１は、入力された時間軸上の信号にＣＰ（Ｃｙｃｌｉｃ  Ｐｒｅｆｉｘ）を挿入し、Ｄ／Ａ（Ｄｉｇｉｔａｌ  ｔｏ  Ａｎａｌｏｇ）部２２へ出力する。Ｄ／Ａ部２２は、入力された信号をディジタル信号からアナログ信号へ変換し、無線部２３へ出力する。無線部２３は、入力されたアナログ信号を無線周波数にアップコンバートし、送信アンテナ２４を介して、端末装置ｍへ送信する。
【００４６】
図７は、本実施形態に係る端末ｍの構成の一例を示すブロック図である。受信アンテナ３０は、基地局Ｍから送信された信号を受信し、無線部３１へ出力する。無線部３１は、受信アンテナ３０から入力された受信信号をダウンコンバートしてベースバンド信号を生成し、Ａ／Ｄ（Ａｎａｌｏｇ  ｔｏ  Ｄｉｇｉｔａｌ）部３２へ出力する。Ａ／Ｄ部３２は、入力されたアナログ信号をディジタル信号に変換し、ＣＰ除去部３３へ出力する。
ＣＰ除去部３３は、入力されたディジタル信号からＣＰを除去し、ＦＦＴ部３４へ出力する。ＦＦＴ部３４は、入力された受信データ信号をＦＦＴ（Ｆａｓｔ  Ｆｏｕｒｉｅｒ  Ｔｒａｎｓｍｉｓｓｉｏｎ；高速フーリエ変換）し、周波数軸上の信号に変換し、参照信号分離部３５へ出力する。参照信号分離部３５は、入力された信号から参照信号を分離し、参照信号を伝搬路推定部３６へ、受信データ信号をサブキャリア抽出部３７へ出力する。サブキャリア抽出部３７は、入力された信号をサブキャリア毎に抽出して並列の受信データ信号とし、Ｐ／Ｓ変換部３８へ出力する。Ｐ／Ｓ変換部３８は、入力された並列の受信データ信号を直列に並び替え、復調部３９へ出力する。伝搬路推定部３６は、参照信号から推定した伝搬路情報を復調部３９へ出力し、復調部３９では、伝搬路推定部３６から入力された伝搬路情報と、Ｐ／Ｓ変換部３８から入力された受信データ信号を復調し、受信ビット列を得て、復号部４０へ出力する。復号部４０は、復調部３９から入力された受信ビット列を復調し、復号ビット列を得る。
【００４７】
また、干渉状態推定部４１では、同期信号などから受信レベルを測定し、自セルに干渉を与えるセルを特定し、干渉源となるセルのセルＩＤを干渉源情報とし、送信部４２へ出力する。送信部４２は、推定した干渉源情報を送信可能な形式に変換し、Ｄ／Ａ部４３へ出力する。Ｄ／Ａ部４３は、ディジタル信号からアナログ信号に変換後、無線部４４へ出力する。無線部４４は、入力されたアナログ信号を、送信アンテナ部４５を介して基地局Ｍへ向けて送信する。なお、干渉源情報の送信は、干渉源情報が更新された場合のみ送信すればよい。
【００４８】
＜マクロセル以外のセルについて＞
先に述べたように、マクロセルにおける基地局及び端末の構成は、それぞれ図３、図７に示した構成であるが、他の種類のセル（ピコセルやフェムトセル）の構成に関しても同様である。ただし、本実施形態では、基地局Ｍが全てのセルのリソース割り当てをまとめて決定する構成であるため、マクロセル以外の基地局は、リソース割り当ての処理を行わない。つまり、マクロセル以外の基地局は、図３の上位層１４の処理が異なり、図５におけるＳ１１１以降の処理のみを行う。
【００４９】
なお、本実施形態における干渉源情報は、周辺セルから到来する同期信号等の無線信号を各セルが受信した結果に基づき生成されるものとしているが、これに限らず、基地局間でやり取りする情報を基に生成してもよい。例えば、３ＧＰＰにおいて規格化されているＬＴＥ（Ｌｏｎｇ  Ｔｅｒｍ  Ｅｖｏｌｕｔｉｏｎ）システムでは、ＯＩ（Ｏｖｅｒｌｏａｄ  Ｉｎｆｏｒｍｅｔｉｏｎ）と呼ばれる、リソースブロック毎の干渉レベルを示す情報を、近接する基地局同士がやり取りする仕組みが採用されている。この情報と、各基地局のリソース割り当て状況やおおよその位置関係を基に、リソースブロック毎におおまかな干渉源を把握することが可能となり、リソースブロック毎の干渉源情報を生成することが可能となる。この場合には、各基地局が基地局Ｍに対してＯＩを通知することとなる。
【００５０】
また、マクロセルやピコセルは、通信オペレータにより計画的に設置されるため、設置する位置関係に応じて、設置時に干渉源情報を設定するようにしてもよい。例えば、通信オペレータがマクロセル内にピコセルを設置する際に、それらのセルは互いに干渉し合うことを示す情報を干渉源情報として、それらのセルに登録するといったことができる。また、フェムトセルは通常、オペレータではなくユーザによって設置されるものであるが、フェムトセル設置時に、そのおおよその位置情報をオペレータに登録するようにすれば、登録された位置情報を基に、フェムトセルの干渉源情報もオペレータが作成することが可能となる。そして、事前に登録された、位置関係に基づく干渉源情報により、本実施形態に示す階層や重複数を求め、各セルが使用するリソース数に制限を与える処理を行ってもよい。この場合には、各端末は干渉源情報を生成する必要はなく、端末側の処理を簡易化、並びに通知する制御情報（干渉源情報）を削減することができる。
【００５１】
さらに、基地局間でやり取りするＲＮＴＰ（Ｒｅｌａｔｉｖｅ  Ｎａｒｒｏｗｂａｎｄ  Ｔｘ  Ｐｏｗｅｒ）等の制御情報を用いてもよい。ＲＮＴＰは、各セルのリソースブロック毎の送信電力を示す情報であるため、各基地局でこの情報を参照することにより、各セルの送信電力を把握することができる。送信電力が小さい値のセルは、隣接セルに干渉を与えないセル、大きい値のセルは隣接セルに干渉を与えるセルと決定することができる。また、各セルの位置関係が事前に把握されている場合には、その位置関係とＲＮＴＰを考慮することにより、リソースブロック毎の干渉源情報を生成することも可能である。
【００５２】
なお、本実施形態では、基地局Ｍにリソース割り当ての決定に必要な情報を集め、同時に送信するセルを決定したが、このような制御を行う基地局は基地局Ｍに限らず、新たに集中制御局を設置し、集中制御局ではリソース割り当ての決定のみを行い、基地局Ｍは他の基地局と同様に集中制御局が決定したリソース割当情報に基づいて送信制御を行う構成としてもよい。
【００５３】
［第２の実施形態］
第１の実施形態では、各基地局から基地局Ｍ（集中制御局）へ干渉源情報を通知し、基地局Ｍが各セルで使用可能なリソース数に制限を与えた上で全セルのリソース割当情報を決定し、各セルの基地局では基地局Ｍが決定したリソース割当情報に従って送信を制御する構成について示した。これに対し、本実施形態では、各セルの基地局が、それぞれ使用可能なリソース数を制限するための情報（リソース配分情報）を取得し、その情報に基づいて各セルの基地局が自律的に使用リソースを決定する構成について示す。さらに、他のセルとの間でリソース割り当ての調整が必要な場合のみ、基地局Ｍがリソース割り当てを変更するものとする。
【００５４】
本実施形態に係る基地局及び端末の構成は、それぞれ図３、図７と同様である。ただし、各基地局における上位層の処理が異なる。
【００５５】
まず、マクロセルの基地局Ｍが各セルにおけるリソース配分情報を一括して生成する例について示す。図８は、この場合の基地局Ｍの上位層の処理の流れを示すフローチャートである。第１の実施形態における上位層の処理（図５）との違いは、図５のステップＳ１０８とステップＳ１１０が、それぞれ図８のステップＳ２０１とステップＳ２０２の処理に代わり、ステップＳ２０３の処理が追加されることである。なお、ステップＳ１０１のように、図５と図８で同じ符号で示す処理は、図５と同様な処理であるため、説明を省略する。
【００５６】
ステップＳ２０１では、ステップＳ１０６で並び替えたグループの順に各セルにおけるリソース配分を決定する。ここで、リソース配分情報は各セルにおけるリソース配分の割合を表しており、例えば、リソース配分情報が１であれば、全てのリソースを使用可能であり、リソース配分情報が２／３であれば全リソースのうち２／３を使用可能であることを表している。
【００５７】
ｊ＝１のとき、重複数が３であるグループ１について、マクロセル、ピコセル１、フェムトセル１の各セルのリソース配分情報はそれぞれ１／３とする。
【００５８】
ｊ＝２のとき、グループ２について、リソース配分情報を決定するが、ｊ＝１のときにマクロセルのリソース配分情報は１／３と決定しているため、残りのセル（ピコセル２、フェムトセル２ａ、フェムトセル２ｂ）で残りのリソースを配分する。ただし、階層が同じセル（フェムトセル２ａ、フェムトセル２ｂ）については、同じリソースを割り当てる。したがって、グループ２ではマクロセル以外のリソース（１−１／３）をピコセルとフェムトセルの２つに配分すればよく、マクロセル以外のセルのリソース配分情報は（１−１／３）／２＝１／３となる。
【００５９】
ｊ＝３のとき、グループ３についてのリソース配分情報を決定するが、グループ３の重複数は２であり、グループ１や２に比べ重複数が小さいため、グループ３に属するセルは、より多くのリソースを使用することができる。具体的には、フェムトセル３は既にマクロセルに割り当てられているリソース以外のリソースをフェムトセルに配分するため、フェムトセル３のリソース配分情報は（１−１／３）／１＝２／３となる。
【００６０】
ｊ＝４のとき、グループ４についてもグループ３と同様に、ピコセル４のリソース配分は（１−１／３）／１＝２／３となる。
【００６１】
ステップＳ２０２では、ステップＳ２０１で決定したリソース配分情報を、有線ネットワーク経由で各基地局へ通知する。
【００６２】
ステップＳ２０３以降の処理は、各基地局で共通の処理であり、各基地局において基地局Ｍから通知されたリソース配分情報に基づいて、自セルで使用可能なリソース数を把握する。そして、その使用可能なリソース数を超えない範囲で、自セルで使用するリソースを決定し、決定されたリソース割り当てを示すリソース割り当て情報に基づいて送信処理を行う。
【００６３】
ここで、使用可能なリソース数を把握した後のリソース割り当ては、各セルが自律的に行えばよく、どのような方法を用いても構わないが、本実施形態では、使用可能なリソース数を超えない範囲でランダムにリソースを選択する方法を用いるものとする。これより、Ｓ２０３では、基地局Ｍから通知されたリソース配分情報に基づいて、乱数等を用いてリソース割り当て情報を決定する。具体的には、使用可能なリソース数分だけ正の整数をランダムに生成し、その数に該当する番号のリソースを使用するというような処理により、使用するリソースを決定することができる。
【００６４】
図９は、リソース割り当て情報の一例を示す表である。図９（ａ）は、基地局Ｍの上位層で決定したリソース配分割当に基づいて、各基地局が独自にリソース割り当てを決定した場合である。図９（ａ）に示すように、各グループにおける重複数に応じて、各セルが使用可能なリソース数が制限されており、このような制限を設けることにより、各セルが自律的にリソースを選択して使用する場合であっても、互いに干渉し合うセル同士で同じリソースを使用する状況を確率的に低減することが可能となる。これにより、効率的な伝送を実現することができる。
【００６５】
さらに、同じグループ内に同じ階層のセルが複数存在する場合（本実施形態では、フェムトセル２ａとフェムトセル２ｂ）に、同じ階層のセル同士で同じリソース割り当てとなるように制御することも可能である。この場合、それぞれの基地局におけるステップＳ２０５の処理で同じ乱数を発生させるよう、ステップＳ２０１で乱数を発生させるための共通の初期値をそれらの該当するセルに通知することによって実現できる。ここで共通の初期値とは、例えば、該当するセルのうちいずれか１つのセルＩＤを使用してもよいし、これに限らず共通であればどのような値でもよい。
【００６６】
図９（ｂ）は、基地局Ｍから通知されたリソース配分情報と初期値に基づいて、各基地局が独自にリソース割り当てを決定した場合であり、各セルの基地局が独自にリソース割り当てを決定したにも関わらず、基地局Ｆ２ａと基地局Ｆ２ｂのように同じ階層のセルに対して同じリソース割り当てを指定することが可能である。また、図９（ｃ）は、基地局Ｆ１、基地局Ｆ２ａ、基地局Ｆ２ｂが同一のリソースになるよう、割り当てを行った場合であり、この場合も基地局Ｍが基地局Ｆ１に対して、基地局Ｆ２ａ、基地局Ｆ２ｂと同じ初期値を与えることで実現可能である。
【００６７】
また、ここでは、マクロセルの基地局Ｍが一括してリソース配分情報を決定する例について示したが、各セルは、自身が属するグループの重複数を把握できれば、リソース配分情報を算出することが可能であるため、必ずしも、基地局Ｍが一括してリソース配分情報を決定する必要はない。したがって、各基地局が重複数または階層を示す情報を取得し、その情報を基にリソース配分情報を算出して、自身が使用可能なリソース数の制限を把握するようにしてもよい。
【００６８】
上記の実施形態では、重複数に基づいて時間リソースの割り当てを行ったが、周波数（サブチャネル）のリソース割り当てに適用してもよい。複数のサブチャネルを用いるＬＴＥ等では、端末は良好な受信品質が得られるサブチャネルを幾つか選択して、そのチャネル品質（ＣＱＩ；Ｃｈａｎｎｅｌ  Ｑｕａｌｉｔｙ  Ｉｎｆｏｒｍａｔｉｏｎ）を基地局にフィードバックするが、このようにフィードバックされた各チャネルの品質と重複数を基に、使用可能なサブチャネル数の範囲内で、良好な品質の得られるサブチャネルを選択するようにしてもよい。また、このようなシステムに対して、本実施形態におけるリソース割り当て方法を適用した場合に、例えば、重複数２のセルでは４つのサブチャネルのＣＱＩをフィードバックし、重複数３のセルでは２つのサブチャネルのＣＱＩをフィードバックする等、ＣＱＩをフィードバックするサブチャネルの数は重複数に応じて設定されるようにしてもよい。つまり、各セルの置かれている状況を数値化した重複数という値（セルの種類を表わす情報）に応じて、ＣＱＩをフィードバックするサブチャネルの数を設定するということであり、セル毎にＣＱＩをフィードバックするサブチャネルの数をそれぞれ決定し、フィードバックを実施するということとなる。重複数は、各セルが使用可能なリソース数を制限する値であり、ＣＱＩはリソースを選択する指標となる値であることから、重複数に応じて、フィードバックするＣＱＩの数を設定することにより効率良いフィードバックを実現できる。また、さらに、自身がマクロセルであるか、ピコセルであるか、フェムトセルであるかに応じても、フィードバックするＣＱＩの数を変更するようにし、重複数だけ考慮してフィードバックするＣＱＩの数を設定する場合よりも、より細かい設定ができるようにしてもよい。例えば、重複数３のマクロセルはフィードバック数が３、重複数３のピコセル、フェムトセルはフィードバック数が２、重複数２のマクロセルはフィードバック数が５、重複数２のピコセル、フェムトセルはフィードバック数が４というようにすることもできる。
【００６９】
また、上記の実施形態において、図面に図示されている構成等については、これらに限定されるものではなく、本発明の効果を発揮する範囲内で適宜変更することが可能である。また、上記の実施形態において、基地局から端末へ伝送を行う場合（下り回線）の例であったが、上り回線に適用してもよい。その他、本発明の目的の範囲を逸脱しない限りにおいて適宜変更して実施することが可能である。
【００７０】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００７１】
また、「コンピュータシステム」は、ＷＷＷシステムを利用している場合であれば、ホームページ提供環境（あるいは表示環境）も含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであってもよい。
【００７３】
以上説明したように、本発明によれば、ゾーン半径が大きく、広い範囲をカバーするマイクロセルの中に、ゾーン半径が小さいピコセルや、ピコセルよりもさらにゾーン半径が小さいフェムトセルが様々な状況で存在する、複雑な環境のセルラシステムにおいて、各セルがどのような状況におかれているか、周囲の状況を考慮してリソース割り当てを行うことにより、セル間干渉の影響を低減しつつ効率的なリソース割り当てを行うことができる。
【産業上の利用可能性】
【００７４】
本発明は、セルラシステムに利用可能である。
【符号の説明】
【００７５】
１０  受信アンテナ
１１  無線部
１２  Ａ／Ｄ部
１３  受信部
１４  上位部
１５  符号部
１６  変調部
１７  Ｓ／Ｐ変換部
１８  サブキャリア割当部
１９  参照信号多重部
２０  ＩＦＦＴ部
２１  ＣＰ挿入部
２２  Ｄ／Ａ部
２３  無線部
２４  送信アンテナ
３０  受信アンテナ
３１  無線部
３２  Ａ／Ｄ部
３３  ＣＰ除去部
３４  ＦＦＴ部
３５  参照信号分離部
３６  伝搬路推定部
３７  サブキャリア抽出部
３８  Ｐ／Ｓ変換部
３９  復調部
４０  復号部
４１  干渉状態推定部
４２  送信部
４３  Ｄ／Ａ部
４４  無線部
４５  送信アンテナ
【図１】
2013055446.tif 000003
【図２】
2013055446.tif 000004
【図３】
2013055446.tif 000005
【図４】
2013055446.tif 000006
【図５】
2013055446.tif 000007
【図６】
2013055446.tif 000008
【図７】
2013055446.tif 000009
【図８】
2013055446.tif 000010
【図９】
2013055446.tif 000011